(57)【要約】 【課題】  セキュリティ観点からインターネットへ接続しないＰＣ端末で、インターネットから入手する必要がある更新用ファイルを安全且つ適時に入手できるようにする。【解決手段】  ユーザの使用するコンピュータ端末と、該コンピュータ端末で必要なデータファイルを広域ネットワーク上で送信する配信サーバと、該配信サーバから前記データファイルを受信して前記コンピュータ端末に提供する携帯型通信端末とを備え、この携帯型通信端末が、例えば定められたスケジュールで繰り返し前記配信サーバに前記コンピュータ端末が必要とする新規なファイルの有無を問い合わせ、新規なファイルがある場合に前記配信サーバからダウンロードして、ケーブルでの直接接続あるいは近距離無線通信等の手段によりＰＣ端末に転送する。ここでコンピュータ端末と携帯通信端末のオペレーティングシステムが異なるようにして、ウイルス感染のリスクを低減する。【選択図】  図１
2007006081.tif 000002
【特許請求の範囲】
【請求項１】
ユーザの使用するコンピュータ端末に必要なファイルを提供元配信サーバから受信して、前記コンピュータ端末に提供する携帯型通信端末であって、
前記配信サーバから広域ネットワークを介して前記ファイルを受信する受信部と、受信したファイルを蓄積する情報記憶手段と、前記コンピュータ端末に前記ファイルを供給するためのデータ出力手段と、前記ファイルの送受信を制御する制御手段とを備えるとともに、前記コンピュータ端末とはオペレーティングシステムが異なることを特徴とする携帯型通信端末。
【請求項２】
請求項１に記載の携帯型情報端末であって、定められたスケジュールで前記配信サーバに新規なファイルの有無を問い合わせ、新規なファイルがある場合に前記配信サーバからダウンロードすることを特徴とする携帯型通信端末。
【請求項３】
前記携帯型情報がデータ通信機能付の携帯電話機であることを特徴とする請求項１または２に記載の携帯型情報端末。
【請求項４】
請求項１乃至３のいずれかに記載の携帯型通信端末において、前記データ出力手段は、ケーブル接続端子、赤外線ポートその他の近距離無線送受信手段、メモリカードドライブのいずれかを備えることを特徴とする携帯型通信端末。
【請求項５】
請求項１乃至４のいずれかに記載の携帯型通信端末において、さらに前記更新用ファイルの転送を管理するための管理テーブルを備えるとともに、前記制御手段が、前記配信サーバから受信したファイルについて、少なくともバージョン情報と前記コンピュータに提供済みか否かの情報を前記管理テーブルで管理することを特徴とする携帯型通信端末。
【請求項６】
請求項１乃至５のいずれかに記載の携帯型通信端末において、さらに前記更新用ファイルを受信した場合にその旨をユーザに通知する通知手段を備えることを特徴とする携帯型通信端末。
【請求項７】
ユーザの使用するコンピュータ端末に必要なファイルを広域ネットワークに接続された配信サーバから受信して前記コンピュータ端末に提供する携帯型通信端末の動作プログラムであって、
前記広域ネットワークを介して前記配信サーバにアクセスし、前記コンピュータ端末に必要なデータファイルの有無を定められたスケジュールで問い合わせるステップと、必要なデータファイルがある場合に前記ファイルを受信して前記携帯型通信端末の記憶手段に蓄積するステップと、前記コンピュータ端末に前記ファイルを供給するステップとを前記携帯型通信端末に実行させることを特徴とするプログラム。
【請求項８】
請求項７に記載のプログラムにおいて、前記配信サーバから前記データファイルを受信した場合にそのバージョンを含む管理情報を前記携帯型通信端末内に保存される管理テーブルに登録するステップと、前記コンピュータ端末に前記ファイルを供給した場合に供給済みである旨を前記管理テーブルに登録するステップと、前記コンピュータ端末に前記ファイルを供給する際に前記管理テーブルを参照して未だ供給されていないファイルを抽出して前記コンピュータ端末に供給するステップと、を前記携帯型通信端末に実行させることを特徴とするプログラム。
【請求項９】
広域ネットワークに接続された配信サーバから、前記広域ネットワークに接続されないコンピュータ端末にデータファイルを転送する方法であって、
データ通信機能付の携帯型情報端末から前記広域ネットワークに接続して前記ファイルを受信し蓄積するステップと、前記携帯型情報端末が前記コンピュータ端末に前記ファイルを供給するステップとを備え、前記携帯型情報端末とコンピュータ端末のオペレーティングシステムが異なることを特徴とするファイル転送方法。
【請求項１０】
請求項９に記載の方法において、前記携帯型情報端末が配信サーバから前記ファイルを受信し蓄積するステップは、前記携帯型情報端末が前記広域ネットワークを介して前記配信サーバにアクセスし、前記コンピュータ端末に必要なデータファイルの有無を定められたスケジュールで問い合わせるステップと、必要なデータファイルがある場合に前記携帯型情報端末が前記ファイルを受信するステップと、受信したデータファイルを前記携帯型情報端末の記憶手段に格納するステップとを含むことを特徴とするファイル転送方法。
【請求項１１】
ユーザの使用するコンピュータ端末と、該コンピュータ端末で必要なデータファイルを広域ネットワーク上で送信する配信サーバと、該配信サーバから前記データファイルを受信して前記コンピュータ端末に提供する携帯型通信端末とを備え、
前記携帯型通信端末が、前記配信サーバから広域ネットワークを介して前記ファイルを受信する受信部と、受信したファイルを蓄積する情報記憶手段と、前記コンピュータ端末に前記ファイルを供給するためのデータ出力手段と、前記ファイルの送受信を制御する制御手段とを備え、
前記コンピュータ端末と携帯通信端末のオペレーティングシステムが異なることを特徴とするファイル転送システム。
【請求項１２】
請求項１１に記載のファイル転送システムにおいて、前記携帯型情報端末が、定められたスケジュールで繰り返し前記配信サーバに前記コンピュータ端末が必要とする新規なファイルの有無を問い合わせ、新規なファイルがある場合に前記配信サーバからダウンロードすることを特徴とするファイル転送システム。
【発明の詳細な説明】
【技術分野】
【０００１】
本発明はデータ配信システムに関し、特に、ネットワークに接続されていないＰＣ端末や、外部との通信が制限されたネットワークに組み込まれたＰＣ端末に携帯通信端末を介してデータ配信を行うシステムおよび方法に関する。
【背景技術】
【０００２】
近年のネットワーク環境の発達に伴い、ウイルス感染や情報漏洩などに対するセキュリティ対策が益々重要となっている。このため個々のＰＣ（パーソナルコンピュータ）端末にはセキュリティ対策ソフトが導入され、また企業の基幹業務システムのネットワーク（ＬＡＮ）ではインターネットなどの広域ネットワークとの接続を制限するケースが増えてきている。ここで、コンピュータウイルスは日々新しいものが登場しており、対策ソフトの提供者側はその都度最新パターンの入ったファイルを用意して、広域ネットワークを介してウイルス対策ソフトが導入されたＰＣ端末に配信されるようにしている。この場合、ウイルス対策ソフトが設定されたスケジュールで定期的かつ自動的にソフト提供者側のサーバにアクセスして最新パターンの有無を確認し、もしあればダウンロードして自ＰＣのウイルスパターンを更新する構成となっている。
【０００３】
本願発明に関連する従来技術として、携帯端末を利用するセキュリティシステムの一例が、特許文献１に記載されている。この文献の図２に示されるように、ウイルス感染警告通知システムでは、ウイルス監視端末がＬＡＮ上のＰＣ端末のウイルス感染を検出した場合、警告メッセージを作成して、当該ＬＡＮおよび端末とは別の通信ネットワークである公衆回線網を介して、ＰＣ端末の管理者の携帯端末へ通知する。これにより、ＬＡＮを介して警告メッセージを送信した場合に生じうる、ＬＡＮに接続された他の端末の二次感染を防止するようにしている。
【０００４】
また、サーバにアップロードされたプログラムファイルの版情報を確認したうえで、プログラムファイルのダウンロードおよび更新を行うシステムの一例が特許文献２に記載されている。この文献の図１に示すように、システムはインターネット等の通信回線網に接続されるサーバと、起動時にサーバと接続される情報処理機能を有するクライアント端末とを備え、前記サーバが、クライアントからの通信接続時に受信する版情報に基づき当該クライアント端末におけるプログラムファイルの更新処理の必要の有無を判断し、更新が必要な場合にはクライアント端末に対して更新指示および更新終了後の再起動指示を送出する。
【０００５】
【特許文献１】特開２００４−１６４２７０号公報
【特許文献２】特開２００３−９９２６４号公報
【発明の開示】
【発明が解決しようとする課題】
【０００６】
しかしながら、最新ウイルスパターンの確認およびダウンロードはインターネット等の広域ネットワークを介して実施する必要があり、広域ネットワークへの接続が制限されている場合には、パターンファイルの確認および更新を行うことができない。この場合にはＰＣ端末が新種のウイルスの危険に曝されてしまうため、何らかの手段でパターンファイルを更新する必要がある。従来、このように広域ネットワークへ接続できない端末のパターンファイル更新は以下の方法がある。
【０００７】
一つは、インターネット等の広域ネットワークへ接続しない端末を一時的にこれらのネットワークに接続し、最新パターンの入ったファイルを入手する方法である。もう一つは、インターネット等の広域ネットワークへ接続されている他のＰＣ端末で入手した最新パターンのファイルをＵＳＢメモリやＣＤ−ＲＯＭ等の可搬型記録媒体にコピーし、それをＰＣ端末で読み込む方法である。しかしながら、前者は元々ウイルス感染等のセキュリティ面から広域ネットワークへ接続していないＰＣ端末を広域ネットワークへ接続することになるため、一時的とはいえウイルス感染や情報漏洩等のセキュリティ上の問題がある。また、後者の場合、広域ネットワークに接続された端末で最新パターンファイルの有無を確認し、記録媒体にコピーしてＰＣ端末に読み込ませるという作業を人手によらねばならず、人的労力がかかるとともに、担当者の暇なときに処理するという携行が強く、最新パターンの更新がタイムリーに行われない場合があるとともに、ダウンロードするＰＣ端末と最終的に転送されるＰＣ端末のオペレーティングシステムが同じ場合にファイル転送を原因とするウイルス感染のリスクがある。
【０００８】
本発明はこのような問題に鑑み、インターネット等の広域ネットワークに接続できないようなＰＣ環境であっても、携帯電話機から広域ネットワークに接続して最新のデータを入手し、該携帯電話機からＰＣ端末に転送してデータ更新を行うことにより、容易かつタイムリーにＰＣ端末のデータを最新のものにするシステムおよび方法を提供することを目的とする。
【課題を解決するための手段】
【０００９】
上記目的を達成するために、本発明は、ユーザの使用するコンピュータ端末に必要なファイルを提供元配信サーバから受信して、前記コンピュータ端末に提供する携帯型通信端末であって、
前記配信サーバから広域ネットワークを介して前記ファイルを受信する受信部と、受信したファイルを蓄積する情報記憶手段と、前記コンピュータ端末に前記ファイルを供給するためのデータ出力手段と、前記ファイルの送受信を制御する制御手段とを備えるとともに、前記コンピュータ端末とはオペレーティングシステムが異なることを特徴とする。
【００１０】
この携帯型情報端末は、定められたスケジュールで前記配信サーバに新規なファイルの有無を問い合わせ、新規なファイルがある場合に前記配信サーバからダウンロードすることが有効である。
【００１１】
前記携帯型情報端末がデータ通信機能付の携帯電話機であることが有効である。
【００１２】
前記データ出力手段は、ケーブル接続端子、赤外線ポートその他の近距離無線送受信手段、メモリカードドライブのいずれかを備えることが有効である。
【００１３】
前記携帯型情報端末さらに前記更新用ファイルの転送を管理するための管理テーブルを備えるとともに、前記制御手段が、前記配信サーバから受信した更新用ファイルについて、少なくともバージョン情報と前記コンピュータに提供済みか否かの情報を前記管理テーブルで管理することが有効である。
【００１４】
前記携帯型通信端末が、さらに前記更新用ファイルを受信した旨をユーザに通知する通知手段を備えることが有効である。
【００１５】
本発明に係る携帯型情報端末用のプログラムは、ユーザの使用するコンピュータ端末に必要なファイルを広域ネットワークに接続された配信サーバから受信して前記コンピュータ端末に提供する携帯型通信端末の動作プログラムであって、
前記広域ネットワークを介して前記配信サーバにアクセスし、前記コンピュータ端末に必要なデータファイルの有無を定められたスケジュールで問い合わせるステップと、必要なデータファイルがある場合に前記ファイルを受信して前記携帯型通信端末の記憶手段に蓄積するステップと、前記コンピュータ端末に前記ファイルを供給するステップとを前記携帯型通信端末に実行させることを特徴とする。
【００１６】
このプログラムはさらに、前記配信サーバから前記データファイルを受信した場合にそのバージョンを含む管理情報を前記携帯型通信端末内に保存される管理テーブルに登録するステップと、前記コンピュータ端末に前記ファイルを供給した場合に供給済みである旨を前記管理テーブルに登録するステップと、前記コンピュータ端末に前記ファイルを供給する際に前記管理テーブルを参照して未だ供給されていないファイルを抽出して前記コンピュータ端末に供給するステップと、を前記携帯型通信端末に実行させることを特徴とする。
【００１７】
本発明に係るファイル転送方法は、広域ネットワークに接続された配信サーバから、前記広域ネットワークに接続されないコンピュータ端末にデータファイルを転送する方法であって、
データ通信機能付の携帯型情報端末から前記広域ネットワークに接続して前記ファイルを受信し蓄積するステップと、前記携帯型情報端末が前記コンピュータ端末に前記ファイルを供給するステップとを備え、前記携帯型情報端末とコンピュータ端末のオペレーティングシステムが異なることを特徴とする。
【００１８】
この方法においては、携帯型情報端末が前記広域ネットワークを介して前記配信サーバにアクセスし、前記コンピュータ端末に必要なデータファイルの有無を定められたスケジュールで問い合わせるステップと、必要なデータファイルがある場合に前記携帯型情報端末が前記ファイルを受信して蓄積するステップと、前記携帯型情報端末が前記コンピュータ端末に前記ファイルを供給するステップとを備えることが有効である。
【００１９】
本発明に係るファイル転送システムは、ユーザの使用するコンピュータ端末と、該コンピュータ端末で必要なデータファイルを広域ネットワーク上で送信する配信サーバと、該配信サーバから前記データファイルを受信して前記コンピュータ端末に提供する携帯型通信端末とを備え、
前記携帯型通信端末が、前記配信サーバから広域ネットワークを介して前記ファイルを受信する受信部と、受信したファイルを蓄積する情報記憶手段と、前記コンピュータ端末に前記ファイルを供給するためのデータ出力手段と、前記ファイルの送受信を制御する制御手段とを備え、
前記コンピュータ端末と携帯通信端末のオペレーティングシステムが異なることを特徴とする。
【００２０】
このシステムでは、前記携帯型情報端末が、定められたスケジュールで繰り返し前記配信サーバに前記コンピュータ端末が必要とする新規なファイルの有無を問い合わせ、新規なファイルがある場合に前記配信サーバからダウンロードすることが有効である。
【発明の効果】
【００２１】
本発明では、インターネットに接続されないコンピュータ端末に、この端末とは異なるオペレーティングシステムで動作する携帯型情報端末を介して前記コンピュータ端末に必要なデータを転送するため、同じオペレーティングシステムで動作する端末を介してファイルを転送する場合に比して、ファイル転送によるウイルス感染の可能性が低減する。また、携帯型情報端末から定期的に配信サーバに問い合わせを行い、コンピュータ端末に必要な新たなデータが存在する場合にダウンロードする構成としたため、必要なデータファイルをタイムリーに入手することができる。また、携帯型情報端末としてコンピュータ端末のユーザの所持する携帯電話機を用いることにより、安全且つタイムリーなデータファイルの入手が実現する。
【００２２】
また、携帯型情報端末からコンピュータ端末へのファイル供給は、ケーブルを用いた直接接続、赤外線通信やｂｌｕｅｔｏｏｔｈなどの近距離無線通信、メモリカードを用いたファイル提供とすることにより、１対１の接続関係により安全にファイル転送を遂行することができる。また、携帯型情報端末が受信したファイルについてバージョンとコンピュータ端末に転送済みか否かを管理することにより、状況に応じて効率的に必要なファイル更新を実現することができる。また、携帯型情報端末が配信サーバからファイルを受信した場合にユーザに通知することにより、タイムリーなファイル転送が可能となる。
【発明を実施するための最良の形態】
【００２３】
本発明を実施するための最良の実施形態について、図面を参照しながら以下に詳細に説明する。
【実施例１】
【００２４】
図１は、本発明にかかる情報配信システムの一実施例の構成を示す図である。図１を参照すると、本発明の第１実施例は、更新ファイルを配信する情報配信サーバ１００と、このサーバ１００とインターネット１１０を介して接続される携帯型情報端末１１０と、インターネットに接続されないＰＣ（パーソナルコンピュータ）端末１３０とを備えている。インターネットに接続されないＰＣ端末１３０は、例えば企業の基幹業務システム等に用いる端末であって、ウイルス感染や情報漏洩を防ぐ観点から、敢えてインターネット等の広域ネットワークに接続できない設定となっている。ただし、本発明においてＰＣ端末１３０は外部へのアクセスが制限された企業内ＬＡＮなどの小規模ネットワークに接続されていてもよい。また、本実施例において転送対象となるファイルは例えばセキュリティ対策ソフトのパターンファイルであるが、本発明はこの例に限るものではなく、ＰＣ端末において必要なデータファイルすべてに適用することが可能である。
【００２５】
情報配信サーバ１００は、配信されるべき更新データを格納するマスタデータ格納部１０１と、マスタデータを利用者に配信するデータ配信部１０２と、登録ユーザデータ格納部１０３とを備えている。登録ユーザデータ格納部１０３には、予め更新ファイルにかかるアプリケーションについて登録したユーザのデータが格納されている。このユーザデータには少なくとも、ＰＣ端末１３０の利用者またはそのシステム管理者の所持する携帯型情報端末１２０のメールアドレスが登録される。なお、更新データにかかるアプリケーションには多数のユーザが想定されるが、当該ユーザがインターネットに接続されるＰＣ端末（図示せず）を利用している場合には当該ＰＣ端末のアドレスが登録される。ユーザの登録方法としては公知の方法を利用することができ、オンライン登録や登録カードを郵送により取得し情報配信端末１００に入力する方法等がある。この情報配信サーバ１００は、ＰＣ端末１３０で動作するアプリケーションで使用する新規な更新データがマスタデータ格納部１０１に登録された場合、登録ユーザデータ格納部１０３に登録されているメールアドレス宛に更新データを随時送信する。
【００２６】
携帯型情報端末１２０は、例えばＰＣ端末１３０のユーザまたはそのシステム管理者等の所持するデータ通信機能付の携帯電話機であり、場所を選ばず情報配信サーバ１００からのデータを受信することができるものである。この携帯型情報端末１２０は、情報配信サーバ１００から送信される更新ファイルを受信する受信部１２１と、受信した更新ファイルの情報をユーザに通知するための通知部１２３と、受信した更新データを格納するデータ蓄積部１２４と、更新データをＰＣ端末１３０に転送するデータ転送部１２５と、これらの要素を制御する受信情報処理部１２２とを備える。受信部１２１は、インターネット１１０に接続された携帯電話会社の無線基地局（図示せず）と無線通信を行い、データの送受信を行う。通知部１２３は、例えば新たな更新ファイルを受信したことをユーザに示す表示画面および音声出力手段を備える。これらの手段または機能は従来の携帯電話機に採用されている表示画面やスピーカを利用することができる。
【００２７】
データ蓄積部１２４は携帯型情報端末１２０の内部記憶手段であり、受信する更新データを格納するのに十分な容量を有するものとする。データ転送部１２５は実施例によって異なるが、後述するようにＰＣ端末１３０とケーブルで直接接続する場合は出力端子として構成され、ＰＣ端末１３０と赤外線通信やＢｌｏｏｔｏｏｔｈなどの近距離無線通信を行う場合は赤外線ポート等として構成され、メモリカード等を利用する場合は当該メモリカードのドライブとして構成される。受信情報処理部１２２は携帯型情報端末１２０に搭載されるプログラムであり、携帯型情報端末１２０のメモリからＣＰＵに読み込まれ実行されることにより実現される。このプログラムは携帯型情報端末１２０のオペレーティングシステムの一部モジュールとして構成してもよい。また、後述するように携帯型情報端末１２０のオペレーティングシステムは、更新データを転送するＰＣ端末１３０のオペレーティングシステムとは異なるものとして、携帯型情報端末１２０からＰＣ端末１３０へのウイルス感染を防止するようにする。
【００２８】
インターネットに接続されないＰＣ端末１３０は、当該ＰＣ端末１３０のメモリからＣＰＵに展開されるアプリケーション１３１と、このアプリケーション１３１が利用するデータが格納される記憶手段１３２と、この記憶手段１３２のデータ更新を制御するデータ更新処理部１３３と、携帯型情報端末１２０から更新データを受信する転送受信部１３４とを備えている。本実施例におけるアプリケーション１３１はコンピュータのセキュリティ対策ソフトであり、記憶手段１３２に登録されるウイルスパターンファイルを参照してＰＣ端末１３０のウイルスチェックや外部からの不正アクセスの検出および防御を実行する。データ更新処理部１３３はＰＣ端末１３０に搭載されるプログラムであり、ＰＣ端末１３０のメモリからＣＰＵに読み込まれ実行されることにより実現される。データ更新処理部１３３は、携帯型情報端末１２０から更新ファイルを受領し、記憶手段１３２のデータを更新する。転送受信部１３４は、上述した携帯型情報端末１２０のデータ転送部１２５に対応するデータ送受信手段であり、すなわちケーブル端子や赤外線ポートやメモリカードドライブとして構成される。なお、上述のようにＰＣ端末１３０のオペレーティングシステムは携帯型情報端末１２０とは異なるものである。
【００２９】
このように構成されたデータ配信システムの第１実施例の動作を、図２のフローチャートを参照しながら説明する。以下の説明では情報配信サーバ１００，携帯型情報端末１２０，ＰＣ端末１３０の動作として描写するが、実際にこれらの動作を担当するのは情報配信サーバ１００のデータ送信部１０２，携帯型情報端末１２０の受信情報処理部１２２，ＰＣ端末１３０のデータ更新処理部１３３である。
【００３０】
新規なコンピュータウイルスが発見されると、オペレータにより当該ウイルスのパターンを追加した更新用データが情報配信サーバ１００に登録される。ウイルスパターンファイルはウイルス固有のバイトパターンを含むファイルであり、アプリケーション１３１（ウイルス対策ソフト）はこのパターンファイルを参考にウイルスのパターンを認識して検索エンジンがウイルスを検知する。新規なウイルスは毎月数百種類出現しているといわれており、新しい複雑なウイルスの検索に対してはウイルス対策ソフトの検索エンジンを更新（バージョンアップ）することが必要となるが、その他の場合はウイルスパターンファイルを更新することで新しく出現したウイルスの検出が可能である。この情報配信サーバ１００は、セキュリティ対策ソフトを開発・販売している会社などがインターネットを経由して、ソフトを購入したユーザに随時最新のウイルス情報を含んだパターンファイルを配信するために運営しているウェブサーバである。
【００３１】
本実施例のデータ送信部１０２は、マスタデータ格納部１０１から更新用ファイルを抽出し、電子メールに添付してユーザデータ格納部１０３に登録されているメールアドレス宛に送信する（ステップ２０１）。このメール配信は、データ送信部１０２がマスタデータ格納部１０１に新たな更新用データが登録されたことを検出して自動的に行ってもよいし、オペレータの入力操作をトリガとして実行されるよう構成されていてもよい。また、電子メールの配信は、ユーザデータ格納部１０３に登録された複数のメールアドレス宛に一斉に送られてもよいし、個別にあるいは所定数のメールをまとめて送ることを繰り返してもよい。
【００３２】
この更新用ファイルはインターネット１１０を介して携帯型情報端末１２０に配信される。携帯型情報端末１２０は受信部１２１で交信用ファイルを受信し、受信情報処理部１２２が通知部１２３を制御してユーザに通知するとともに（ステップ２１１）、受信した更新用ファイルをデータ蓄積部１２４に登録し（ステップ２１２）、その後ＰＣ端末１３０への転送準備を実施する。ここで、受信情報処理部１２２は携帯型情報端末１２０の電源オン時には常時起動しており、受信される電子メールの内容をその都度確認し、更新ファイルの送信を示す予め定められた文字列（識別コード）がある場合あるいは添付ファイルがその識別子等から更新ファイルと確認された場合に一連の処理を開始するよう構成することができる。この処理により携帯型情報端末１２０の表示画面に新規な更新用ファイルを受信したことが表示され、ユーザに受け取った更新用ファイルをＰＣ端末１３０に転送することが促される。なお、更新用ファイルを受信した際は画面表示とともにビープ音等を発してユーザの注意をひくようにしてもよい。
【００３３】
メッセージを見たユーザは、携帯型情報端末１２０からＰＣ端末１３０への転送準備を整え、携帯型情報端末１２０を操作してデータ転送を実行する（ステップＳ２１２）。具体的には、ＰＣ端末１３０とケーブルで接続する実施例の場合ユーザは携帯型情報端末１２０とＰＣ端末１３０とをケーブルで接続し、携帯型情報端末１２０に画面表示された「転送開始」ボタンをクリックする等してデータ転送を開始させる。また、ＰＣ端末１３０と赤外線通信やＢｌｕｅｔｈｏｏｔｈなどの近距離無線通信を行う実施例ではＰＣ端末１３０と通信可能な位置に携帯型情報端末１２０を適切に配置し、データ転送を開始させる。また、メモリカードなどの記憶媒体を介してデータ転送を行う場合には、携帯型情報端末１２０に十分な空き容量のメモリカードを装填し、画面表示されたボタンをクリックすると更新用ファイルがメモリカードにコピーされるよう構成する。ここで、携帯型情報端末１２０とＰＣ端末１３０のオペレーティングシステムが異なることから、このデータ転送によってウイルスが感染する可能性は最低限に抑えられる。
【００３４】
インターネットに接続されないＰＣ端末１３０は、転送受信部１３４にて更新用ファイルを受信し、データ更新処理部１３３が、アプリケーション１３１が検索する記憶手段１３２のデータファイルを更新する（ステップ２２１）。ここで、データ更新は、最新のウイルスパターンファイルが過去のウイルスパターンデータをすべて含むような場合はデータファイルをそのまま上書き処理する構成をとってもよく、最新のウイルスパターンデータのみを持つような場合はパターンファイルに最新分のデータを追加するような構成であってもよい。従来、多くのウイルスチェックソフトは前者の形態をとっているが、追加／変更部分のみを含む更新用ファイルの方が転送データ量が少なくできる場合が多く、特に携帯型情報端末１２０に携帯電話機を使用する場合等に好適である。
【００３５】
具体的な更新処理について、図３を参照して説明する。本図は更新用ファイルの構成イメージを示す図である。本図に示すように、レコードごとに処理内容６１，処理インデックス６２，更新内容６３の項目が設けられている。処理内容６１にはこのレコードの処理方法が記録され、この内容として”ａｄｄ”は「追加」、”ｃｈｇ”は「更新」、”ｄｅｌ”は削除等がある。処理インデックス６２には処理対象となるデータ内の検索キーが記録されており、更新内容６３には新しく追加・更新されるパターンファイルの内容が記録されている。データ更新処理部１３３はこの更新用ファイルをレコードごとに読み込み、記憶手段１３２に格納されたデータに対し追加・更新・削除処理を実行する。なお、この処理手順の説明では他の実施例にも適用できるように追加・更新・削除の処理を可能としているが、ウイルスパターンファイルの更新の場合は「削除」ということは考えにくく、追加と更新のみの処理機能を備えるように構成してもよい。
【００３６】
ファイル更新のタイミングは、携帯型情報端末１２０からの転送要求を受けた時点でデータ更新処理部１３３が自動的に受信処理を行い、受信が完了したらデータ更新を行うようにしてもよいし、転送要求を受けた時点でＰＣ端末１３０にその旨を画面表示して、ユーザに更新用データの受信および実際の更新処理の確認をとるようにしてもよい。
【００３７】
このように、本実施例によれば、情報配信サーバ１００にある最新の更新用ファイルを携帯型情報端末１２０で入手し、その入手をユーザに通知し、ここからインターネットに接続されないＰＣ端末１３０に転送する構成であるため、インターネットなど広域ネットワークに接続できないＰＣ端末１３０のウイルスパターンファイルの更新を容易に行うことができる。また、情報配信サーバ１００に新規な更新用ファイルが登録された時点で当該ファイルが電子メールで配信されるため、インターネットに接続されないＰＣ端末１３０の利用者が最新パターンの存在を検知することができ、ウイルスパターンファイルの更新をタイムリーに行うことができる。また、ＰＣ端末１３０においてウイルスパターンの更新をインターネット等に接続することなく実行することが可能であるため、インターネットに接続してファイル更新を行う場合に比してウイルス感染や情報漏洩等のセキュリティ上のリスクが低減する。また、最新の更新用ファイルの入手は携帯電話など、更新対象となるＰＣ端末１３０とはオペレーティングシステムが異なる端末を介して実現するよう構成しており、コンピュータウイルスの殆どが携帯電話機のオペレーティングシステムには感染しないものであるため、ファイル転送を行う場合のウイルス感染のリスクを大幅に低減することができる。さらに、例えばＰＣ端末１３０が社員が出張に携帯するようなノート型パソコンである場合、移動中に携帯電話機で更新用データを受信しておき、目的に着いてからＰＣ端末１３０に最新の更新用ファイルを転送するといったことが可能となり、更新用ファイルを効率的に入手することができる。
【実施例２】
【００３８】
次に、第２の実施例について説明する。図４は、本発明にかかるデータ配信システムの第２実施例の動作を説明する図である。本実施例の構成は図１に示すシステムとほぼ同様であるが、情報配信サーバ１００と携帯型情報端末１２０間で行われるファイル配信手順が異なっており、情報配信サーバ１００のデータ送信部１０２の処理と、携帯型情報端末１２０の受信情報処理部１２２の処理が異なる。
【００３９】
新たなウイルスが発見されると、情報配信サーバ１００のオペレータが新規なウイルスパターンを含む更新用ファイルをマスタデータ格納部１０１に登録するが、この時点では携帯型情報端末１２０に配信しない（ステップ５０１）。一方、携帯型情報端末１２０の受信情報処理部１２２は定期的に情報配信サーバ１００に接続し、新たな更新用ファイルが存在するかを問い合わせる（ステップ５１１）。この問い合わせでは、前回転送された更新用ファイルのバージョン情報を携帯型情報端末１２０がデータ蓄積部１２４に登録しておき、このバージョン情報を情報配信サーバ１００への通知に含めるようにする。情報配信サーバ１００のデータ送信部１０２は、受信したバージョン情報とマスタデータ格納部１０１に登録されている最新の更新用データのバージョン情報とを比較して、両者が異なるものであれば新たなファイルが存在する旨を返信する（ステップ５０２）。なお、別の実施例では、携帯型情報端末１２０から情報配信サーバ１００に現在登録されている最新の更新用データのバージョンを問い合わせ、返信情報に基づき携帯型情報端末１２０が自端末内に保存されている前回更新ファイルのバージョンと比較することにより更新の必要性を判断するようにしてもよい。
【００４０】
ここで、新規な更新用ファイルが存在する場合、携帯型情報端末１２０は情報配信サーバ１００にダウンロード要求を行い（ステップ５１２）、これに応じて情報配信サーバ１００がマスタデータ格納部１０１から最新の更新用ファイルを抽出して携帯型情報端末１２０に送信する（ステップ５０３）。以降の処理は図２に示す第１実施例と同様であり、図２と同じステップ番号を付してその説明は省略する。
【実施例３】
【００４１】
次に、本発明の第３の実施例について、図５および図６を用いて説明する。本実施例では、インターネットに接続されないＰＣ端末３３０のアプリケーション３３１が辞書検索ソフトであるものとして説明する。辞書ソフトの場合、新しい流行語などが生まれた場合に新しい言葉とその意味を追加したり、既存の言葉に新しい意味合いが発生した場合に既存の言葉の意味合いを更新したり、一時的な流行語で使用されなくなった言葉を削除するなど辞書データの更新が有効であり、この更新版辞書データは版数管理されている。図５のシステムを参照すると、図１のシステムに加え携帯型情報端末３３０の受信情報処理部３２２がさらに蓄積データ管理部３２４を備えている。この蓄積データ管理部３２４は携帯型情報端末３２０のプログラムモジュールとして構成され、この端末３２０が受信した更新用ファイルの情報を管理する。
【００４２】
図６のフローチャートに示されるように、情報配信サーバ３００のデータ送信部３０２がアプリケーションの検索対象となる最新の更新用ファイルをマスタデータ３０１から抽出し、携帯型情報端末３２０に送信する（ステップ４０１）。この配信処理は上述した第１および第２の実施例のいずれかの手順で行われるものとする。携帯型情報端末３２０は情報配信サーバ３００からの更新用ファイルを受信部３２１で受信し、受信情報処理部３２２は更新用ファイルの情報を通知部３２３を用いて利用者に通知するとともに、データ蓄積部３２５に受信した更新用ファイルを登録する（ステップ４１１）。このとき、蓄積データ管理部３２４は、図７に示す管理テーブルに更新用ファイルの情報を登録する（ステップ４１２）。
【００４３】
この確認テーブルはデータ蓄積部３２５に保存管理されており、新たな更新用ファイルを受信した場合や、各ファイルがＰＣ端末３３０に転送された場合に更新されるものである。図７に示すように、確認テーブルでは更新用ファイルごとにレコードが作成されており、各レコードはファイル名５２，バージョン情報５３，更新端末識別情報５４，更新フラッグ５５の項目を少なくとも有している。ファイル名５２およびバージョン情報５３には更新用ファイルのファイル名とそのバージョン情報が登録され、更新端末識別情報５４にはこの携帯型情報端末３２０が辞書検索ソフトの最新辞書データの更新を行うＰＣ端末３３０の識別情報が登録され、更新フラッグ５５には辞書データの更新が行われたか否かを示すフラッグが登録される。
【００４４】
図７に示す実施例では、ＲＥＣ０１のレコードでは２００４年１１月１０に第６版（バージョン０６０）で「ｊｄａｔａ６０」というファイル名の辞書データがデータ蓄積部３２５に登録されているが、「ａｂｃｄ００１」という識別子を持つＰＣ端末（ＰＣ端末３３０）への更新フラッグが「０」であるため、データの転送はまだ行われていない状態である。これに対し、ＲＥＣ０２のレコードでは、同じように第５版の辞書データは識別子が「ａｂｃｄ００１」のＰＣ端末３３０への更新フラッグが「１」であり、辞書データの更新が行われていることが分かる。これに今回入手した更新用データの情報がＲＥＣ００３（第７版データ）として追加される。
【００４５】
次に、蓄積データ管理部３２４は、過去にデータ蓄積部３２５に蓄積されたデータを含め、辞書検索ソフトの更新用ファイルの情報を確認し、今回追加・更新する必要のある更新用ファイルを判定する（ステップ４１２）。この処理は、データ蓄積部３２５に蓄積されたデータを参照して更新フラッグが「０」（未更新）である更新用データを特定し、ここで特定された更新用データをデータ蓄積部３２５から抽出してＰＣ端末３３０に転送する。図７の実施例では、ＲＥＣ０３（第７版の辞書データ）とＲＥＣ０２（第６版の辞書データ）を抽出し、識別子ａｂｃｄ００１のＰＣ端末３３０に転送する。この転送および以降の処理は上述した第１および第２の実施例と同様であるため、以降の説明は省略する。
【００４６】
本実施例によれば、例えば上述したようにＰＣ端末３３０が出張に携帯されるノート型パソコンであって、比較的短期間で２以上の更新用ファイルがリリースされたような場合に、１つ目のファイルによる更新を実施していない状態でも２つ目以降のファイルを受信して蓄積しておき、対応する時間ができたときに未更新のファイルを抽出してＰＣ端末に転送し、辞書データを更新させることができる。この実施例は比較的間隔を空けずに更新ファイルがリリースされるようなアプリケーション、例えば毎日あるいは毎週新たなカリキュラムが送信される教育ソフトの教材データ等の場合に特に有効となる。
【００４７】
本発明のいくつかの実施例を詳細に説明したが、本発明は上記実施例に限定されるものではなく、他の様々な実施例を考えることができる。特に、ＰＣ端末におけるアプリケーションとその参照ファイル（更新対象となるデータファイル）は、例えば、辞書検索ソフトにおける辞書データファイル、法律・判例検索ソフトにおける法律・判例データ、地図検索ソフトにおける地図データ、各種教育ソフトにおける毎回内容が異なる教育コンテンツデータ等のように、検索や境域受講などの機能をもったアプリケーションに用いられ、必要に応じて内容が追加・更新される検索対象データまたはコンテンツデータであれば、様々な例に適用することができる。また、情報配信サーバと携帯型情報端末のデータ転送手順も上記実施例に限るものではない。例えば、新たな更新用ファイルが情報配信サーバに登録されたらファイルを添付せずに各利用者の携帯型情報端末にその旨の電子メールを配信し、これを受けた携帯型情報端末側から情報配信サーバにアクセスして更新用ファイルをダウンロードする構成としてもよい。
【産業上の利用可能性】
【００４８】
本発明は、セキュリティ上の問題でインターネット等の広域ネットワークへの接続が制限され、ローカル若しくは企業内などアクセスが管理されたネットワークに接続されるＰＣ端末で、インターネットから入手する必要がある更新用ファイルを安全且つ適時に入手できるようにするものであり、情報通信産業その他コンピュータを用いる産業で利用することができる。
【図面の簡単な説明】
【００４９】
【図１】本発明にかかるデータ配信システムの第１実施例の構成を示す図である。
【図２】図１に示す第１実施例の動作を説明する図である。
【図３】転送される更新用ファイルの構成を示すイメージ図である。
【図４】データ配信システムの第２実施例の動作を説明する図である。
【図５】データ配信システムの第３実施例の構成を示す図である。
【図６】図５に示す第３実施例の動作を説明する図である。
【図７】図５に示す蓄積データ管理部が管理する管理テーブルの構成を示すイメージ図である。
【符号の説明】
【００５０】
１００    情報配信サーバ
１０１    マスタデータ格納部
１０２    データ送信部
１０３    ユーザデータ格納部
１１０    インターネット
１２０    携帯型情報端末
１２１    受信部
１２２    受信情報処理部
１２３    通知部
１２４    データ蓄積部
１２５    データ転送部
１３０    ＰＣ端末
１３１    アプリケーション
１３２    記憶手段
１３３    データ更新処理部
１３４    転送受信部
【図１】
2007006081.tif 000003
【図２】
2007006081.tif 000004
【図３】
2007006081.tif 000005
【図４】
2007006081.tif 000006
【図５】
2007006081.tif 000007
【図６】
2007006081.tif 000008
【図７】
2007006081.tif 000009
【手続補正書】
【提出日】平成17年6月29日(2005.6.29)
【手続補正１】
【補正対象書類名】特許請求の範囲
【補正対象項目名】全文
【補正方法】変更
【補正の内容】
【特許請求の範囲】
【請求項１】
ユーザの使用するコンピュータ端末に必要なファイルを提供元配信サーバから受信して、前記コンピュータ端末に提供する携帯型通信端末であって、
前記配信サーバから広域ネットワークを介して前記ファイルを受信する受信部と、受信したファイルを蓄積する情報記憶手段と、前記コンピュータ端末に前記ファイルを供給するためのデータ出力手段と、前記ファイルの送受信を制御する制御手段とを備えるとともに、前記コンピュータ端末とはオペレーティングシステムが異なることを特徴とする携帯型通信端末。
【請求項２】
請求項１に記載の携帯型通信端末であって、定められたスケジュールで前記配信サーバに新規なファイルの有無を問い合わせ、新規なファイルがある場合に前記配信サーバからダウンロードすることを特徴とする携帯型通信端末。
【請求項３】
請求項１または２に記載の携帯型通信端末において、前記データ出力手段は、ケーブル接続端子、赤外線ポートその他の近距離無線送受信手段、メモリカードドライブのいずれかを備えることを特徴とする携帯型通信端末。
【請求項４】
請求項１乃至３のいずれかに記載の携帯型通信端末において、さらに前記ファイルの転送を管理するための管理テーブルを備えるとともに、前記制御手段が、前記配信サーバから受信したファイルについて、少なくともバージョン情報と前記コンピュータ端末に提供済みか否かの情報を前記管理テーブルで管理することを特徴とする携帯型通信端末。
【請求項５】
請求項１乃至４のいずれかに記載の携帯型通信端末において、さらに前記ファイルを受信した場合にその旨をユーザに通知する通知手段を備えることを特徴とする携帯型通信端末。
【請求項６】
ユーザの使用するコンピュータ端末に必要なファイルを広域ネットワークに接続された配信サーバから受信して前記コンピュータ端末に提供する携帯型通信端末の動作プログラムであって、
前記広域ネットワークを介して前記配信サーバにアクセスし、前記コンピュータ端末に必要なデータファイルの有無を問い合わせるステップと、必要なデータファイルがある場合に前記ファイルを受信して前記携帯型通信端末の記憶手段に蓄積するステップと、前記コンピュータ端末に前記ファイルを供給するステップとを前記携帯型通信端末に実行させることを特徴とするプログラム。
【請求項７】
請求項６に記載のプログラムにおいて、前記配信サーバから前記データファイルを受信した場合にそのバージョン情報を含む管理情報を前記携帯型通信端末内に保存される管理テーブルに登録するステップと、前記コンピュータ端末に前記ファイルを供給した場合に供給済みである旨を前記管理テーブルに登録するステップと、前記コンピュータ端末に前記ファイルを供給する際に前記管理テーブルを参照して未だ供給されていないファイルを抽出して前記コンピュータ端末に供給するステップと、を前記携帯型通信端末に実行させることを特徴とするプログラム。
【請求項８】
広域ネットワークに接続された配信サーバから、前記広域ネットワークに接続されないコンピュータ端末にデータファイルを転送する方法であって、
携帯型通信端末が前記広域ネットワークに接続して前記ファイルを受信し蓄積するステップと、前記携帯型通信端末が前記コンピュータ端末に前記ファイルを供給するステップとを備え、前記携帯型通信端末とコンピュータ端末のオペレーティングシステムが異なることを特徴とするファイル転送方法。
【請求項９】
請求項８に記載の方法において、前記携帯型通信端末が配信サーバから前記ファイルを受信し蓄積するステップは、前記携帯型通信端末が前記広域ネットワークを介して前記配信サーバにアクセスし、前記コンピュータ端末に必要なデータファイルの有無を問い合わせるステップと、必要なデータファイルがある場合に前記携帯型通信端末が前記ファイルを受信するステップと、受信したデータファイルを前記携帯型通信端末の記憶手段に格納するステップとを含むことを特徴とするファイル転送方法。
【請求項１０】
ユーザの使用するコンピュータ端末と、該コンピュータ端末で必要なデータファイルを広域ネットワーク上で送信する配信サーバと、該配信サーバから前記データファイルを受信して前記コンピュータ端末に提供する携帯型通信端末とを備え、
前記携帯型通信端末が、前記配信サーバから広域ネットワークを介して前記ファイルを受信する受信部と、受信したファイルを蓄積する情報記憶手段と、前記コンピュータ端末に前記ファイルを供給するためのデータ出力手段と、前記ファイルの送受信を制御する制御手段とを備え、
前記コンピュータ端末と携帯通信端末のオペレーティングシステムが異なることを特徴とするファイル転送システム。
【請求項１１】
請求項１０に記載のファイル転送システムにおいて、前記携帯型通信端末が、定められたスケジュールで前記配信サーバに前記コンピュータ端末が必要とする新規なファイルの有無を問い合わせ、新規なファイルがある場合に前記配信サーバからダウンロードすることを特徴とするファイル転送システム。
【手続補正２】
【補正対象書類名】明細書
【補正対象項目名】全文
【補正方法】変更
【補正の内容】
【発明の詳細な説明】
【技術分野】
【０００１】
本発明はデータ配信システムに関し、特に、ネットワークに接続されていないＰＣ端末や、外部との通信が制限されたネットワークに接続されたＰＣ端末に携帯通信端末を介してデータ配信を行うシステムおよび方法に関する。
【背景技術】
【０００２】
近年のネットワーク環境の発達に伴い、ウイルス感染や情報漏洩などに対するセキュリティ対策が益々重要となっている。このため個々のＰＣ（パーソナルコンピュータ）端末にはセキュリティ対策ソフトが導入され、また企業の基幹業務システムのネットワーク（ＬＡＮ）ではインターネットなどの広域ネットワークとの接続を制限するケースが増えてきている。ここで、コンピュータウイルスは日々新しいものが登場しており、対策ソフトの提供者側はその都度最新パターンの入ったファイルを用意して、広域ネットワークを介してウイルス対策ソフトが導入されたＰＣ端末に配信されるようにしている。この場合、ウイルス対策ソフトが設定されたスケジュールで定期的かつ自動的にソフト提供者側のサーバにアクセスして最新パターンの有無を確認し、もしあればダウンロードして自ＰＣのウイルスパターンを更新する構成となっている。
【０００３】
本願発明に関連する従来技術として、携帯端末を利用するセキュリティシステムの一例が、特許文献１に記載されている。この文献の図２に示されるように、ウイルス感染警告通知システムでは、ウイルス監視端末がＬＡＮ上のＰＣ端末のウイルス感染を検出した場合、警告メッセージを作成して、当該ＬＡＮおよび端末とは別の通信ネットワークである公衆回線網を介して、ＰＣ端末の管理者の携帯端末へ通知する。これにより、ＬＡＮを介して警告メッセージを送信した場合に生じうる、ＬＡＮに接続された他の端末の二次感染を防止するようにしている。
【０００４】
また、サーバにアップロードされたプログラムファイルの版情報を確認したうえで、プログラムファイルのダウンロードおよび更新を行うシステムの一例が特許文献２に記載されている。この文献の図１に示すように、システムはインターネット等の通信回線網に接続されるサーバと、起動時にサーバと接続される情報処理機能を有するクライアント端末とを備え、前記サーバが、クライアントからの通信接続時に受信する版情報に基づき当該クライアント端末におけるプログラムファイルの更新処理の必要の有無を判断し、更新が必要な場合にはクライアント端末に対して更新指示および更新終了後の再起動指示を送出する。
【０００５】
【特許文献１】特開２００４−１６４２７０号公報
【特許文献２】特開２００３−９９２６４号公報
【発明の開示】
【発明が解決しようとする課題】
【０００６】
しかしながら、最新ウイルスパターンの確認およびダウンロードはインターネット等の広域ネットワークを介して実施する必要があり、広域ネットワークへの接続が制限されている場合には、パターンファイルの確認および更新を行うことができない。この場合にはＰＣ端末が新種のウイルスの危険に曝されてしまうため、何らかの手段でパターンファイルを更新する必要がある。従来、このように広域ネットワークへ接続できない端末のパターンファイル更新は以下の方法がある。
【０００７】
一つは、インターネット等の広域ネットワークへ接続しない端末を一時的にこれらのネットワークに接続し、最新パターンの入ったファイルを入手する方法である。もう一つは、インターネット等の広域ネットワークへ接続されている他のＰＣ端末で入手した最新パターンのファイルをＵＳＢメモリやＣＤ−ＲＯＭ等の可搬型記録媒体にコピーし、それをＰＣ端末で読み込む方法である。しかしながら、前者は元々ウイルス感染等のセキュリティ面から広域ネットワークへ接続していないＰＣ端末を広域ネットワークへ接続することになるため、一時的とはいえウイルス感染や情報漏洩等のセキュリティ上の問題がある。また、後者の場合、広域ネットワークに接続された端末で最新パターンファイルの有無を確認し、記録媒体にコピーしてＰＣ端末に読み込ませるという作業を人手によらねばならず、人的労力がかかるとともに、担当者の暇なときに処理するという携行が強く、最新パターンの更新がタイムリーに行われない場合があるとともに、ダウンロードするＰＣ端末と最終的に転送されるＰＣ端末のオペレーティングシステムが同じ場合にファイル転送を原因とするウイルス感染のリスクがある。
【０００８】
本発明はこのような問題に鑑み、インターネット等の広域ネットワークに接続できないようなＰＣ環境であっても、携帯電話機から広域ネットワークに接続して最新のデータを入手し、該携帯電話機からＰＣ端末に転送してデータ更新を行うことにより、容易かつタイムリーにＰＣ端末のデータを最新のものにするシステムおよび方法を提供することを目的とする。
【課題を解決するための手段】
【０００９】
上記目的を達成するために、本発明は、ユーザの使用するコンピュータ端末に必要なファイルを提供元配信サーバから受信して、前記コンピュータ端末に提供する携帯型通信端末であって、
前記配信サーバから広域ネットワークを介して前記ファイルを受信する受信部と、受信したファイルを蓄積する情報記憶手段と、前記コンピュータ端末に前記ファイルを供給するためのデータ出力手段と、前記ファイルの送受信を制御する制御手段とを備えるとともに、前記コンピュータ端末とはオペレーティングシステムが異なることを特徴とする。
【００１０】
この携帯型通信端末は、定められたスケジュールで前記配信サーバに新規なファイルの有無を問い合わせ、新規なファイルがある場合に前記配信サーバからダウンロードすることが有効である。
【００１１】
前記データ出力手段は、ケーブル接続端子、赤外線ポートその他の近距離無線送受信手段、メモリカードドライブのいずれかを備えることが有効である。
【００１２】
前記携帯型通信端末がさらに前記ファイルの転送を管理するための管理テーブルを備えるとともに、前記制御手段が、前記配信サーバから受信したファイルについて、少なくともバージョン情報と前記コンピュータ端末に提供済みか否かの情報を前記管理テーブルで管理することが有効である。
【００１３】
前記携帯型通信端末が、さらに前記ファイルを受信した場合にその旨をユーザに通知する通知手段を備えることが有効である。
【００１４】
本発明に係る携帯型通信端末用のプログラムは、ユーザの使用するコンピュータ端末に必要なファイルを広域ネットワークに接続された配信サーバから受信して前記コンピュータ端末に提供する携帯型通信端末の動作プログラムであって、
前記広域ネットワークを介して前記配信サーバにアクセスし、前記コンピュータ端末に必要なデータファイルの有無を問い合わせるステップと、必要なデータファイルがある場合に前記ファイルを受信して前記携帯型通信端末の記憶手段に蓄積するステップと、前記コンピュータ端末に前記ファイルを供給するステップとを前記携帯型通信端末に実行させることを特徴とする。
【００１５】
このプログラムはさらに、前記配信サーバから前記データファイルを受信した場合にそのバージョン情報を含む管理情報を前記携帯型通信端末内に保存される管理テーブルに登録するステップと、前記コンピュータ端末に前記ファイルを供給した場合に供給済みである旨を前記管理テーブルに登録するステップと、前記コンピュータ端末に前記ファイルを供給する際に前記管理テーブルを参照して未だ供給されていないファイルを抽出して前記コンピュータ端末に供給するステップと、を前記携帯型通信端末に実行させることを特徴とする。
【００１６】
本発明に係るファイル転送方法は、広域ネットワークに接続された配信サーバから、前記広域ネットワークに接続されないコンピュータ端末にデータファイルを転送する方法であって、
携帯型通信端末が前記広域ネットワークに接続して前記ファイルを受信し蓄積するステップと、前記携帯型通信端末が前記コンピュータ端末に前記ファイルを供給するステップとを備え、前記携帯型通信端末とコンピュータ端末のオペレーティングシステムが異なることを特徴とする。
【００１７】
前記携帯型通信端末が配信サーバから前記ファイルを受信し蓄積するステップは、前記携帯型通信端末が前記広域ネットワークを介して前記配信サーバにアクセスし、前記コンピュータ端末に必要なデータファイルの有無を問い合わせるステップと、必要なデータファイルがある場合に前記携帯型通信端末が前記ファイルを受信するステップと、受信したデータファイルを前記携帯型通信端末の記憶手段に格納するステップとを備えることが有効である。
【００１８】
本発明に係るファイル転送システムは、ユーザの使用するコンピュータ端末と、該コンピュータ端末で必要なデータファイルを広域ネットワーク上で送信する配信サーバと、該配信サーバから前記データファイルを受信して前記コンピュータ端末に提供する携帯型通信端末とを備え、
前記携帯型通信端末が、前記配信サーバから広域ネットワークを介して前記ファイルを受信する受信部と、受信したファイルを蓄積する情報記憶手段と、前記コンピュータ端末に前記ファイルを供給するためのデータ出力手段と、前記ファイルの送受信を制御する制御手段とを備え、
前記コンピュータ端末と携帯通信端末のオペレーティングシステムが異なることを特徴とする。
【００１９】
このシステムでは、前記携帯型通信端末が、定められたスケジュールで前記配信サーバに前記コンピュータ端末が必要とする新規なファイルの有無を問い合わせ、新規なファイルがある場合に前記配信サーバからダウンロードすることが有効である。
【発明の効果】
【００２０】
本発明では、インターネットに接続されないコンピュータ端末に、この端末とは異なるオペレーティングシステムで動作する携帯型通信端末を介して前記コンピュータ端末に必要なデータを転送するため、同じオペレーティングシステムで動作する端末を介してファイルを転送する場合に比して、ファイル転送によるウイルス感染の可能性が低減する。また、携帯型通信端末から定期的に配信サーバに問い合わせを行い、コンピュータ端末に必要な新たなデータが存在する場合にダウンロードする構成としたため、必要なデータファイルをタイムリーに入手することができる。
【００２１】
また、携帯型通信端末からコンピュータ端末へのファイル供給は、ケーブルを用いた直接接続、赤外線通信やｂｌｕｅｔｏｏｔｈ（登録商標）などの近距離無線通信、メモリカードを用いたファイル提供とすることにより、１対１の接続関係により安全にファイル転送を遂行することができる。また、携帯型通信端末が受信したファイルについてバージョンとコンピュータ端末に転送済みか否かを管理することにより、状況に応じて効率的に必要なファイル更新を実現することができる。また、携帯型通信端末が配信サーバからファイルを受信した場合にユーザに通知することにより、タイムリーなファイル転送が可能となる。
【発明を実施するための最良の形態】
【００２２】
本発明を実施するための最良の実施形態について、図面を参照しながら以下に詳細に説明する。
【実施例１】
【００２３】
図１は、本発明にかかるファイル転送システムの一実施例の構成を示す図である。図１を参照すると、本発明の第１実施例は、更新ファイルを配信する情報配信サーバ１００と、このサーバ１００とインターネット１１０を介して接続される携帯型通信端末１２０と、インターネットに接続されないＰＣ（パーソナルコンピュータ）端末１３０とを備えている。インターネットに接続されないＰＣ端末１３０は、例えば企業の基幹業務システム等に用いる端末であって、ウイルス感染や情報漏洩を防ぐ観点から、敢えてインターネット等の広域ネットワークに接続できない設定となっている。ただし、本発明においてＰＣ端末１３０は外部へのアクセスが制限された企業内ＬＡＮなどの小規模ネットワークに接続されていてもよい。また、本実施例において転送対象となるファイルは例えばセキュリティ対策ソフトのパターンファイルであるが、本発明はこの例に限るものではなく、ＰＣ端末において必要なデータファイルすべてに適用することが可能である。
【００２４】
情報配信サーバ１００は、配信されるべき更新ファイルを格納するマスタデータ格納部１０１と、マスタデータを利用者に配信するデータ配信部１０２と、登録ユーザデータ格納部１０３とを備えている。登録ユーザデータ格納部１０３には、予め更新ファイルにかかるアプリケーションについて登録したユーザのデータが格納されている。このユーザデータには少なくとも、ＰＣ端末１３０の利用者またはそのシステム管理者の所持する携帯型通信端末１２０のメールアドレスが登録される。なお、更新ファイルにかかるアプリケーションには多数のユーザが想定されるが、当該ユーザがインターネットに接続されるＰＣ端末（図示せず）を利用している場合には当該ＰＣ端末のアドレスが登録される。ユーザの登録方法としては公知の方法を利用することができ、オンライン登録や登録カードを郵送により取得し情報配信サーバ１００に入力する方法等がある。この情報配信サーバ１００は、ＰＣ端末１３０で動作するアプリケーションで使用する新規な更新ファイルがマスタデータ格納部１０１に登録された場合、登録ユーザデータ格納部１０３に登録されているメールアドレス宛に更新ファイルを随時送信する。
【００２５】
携帯型通信端末１２０は、例えばＰＣ端末１３０のユーザまたはそのシステム管理者等の所持するデータ通信機能付の携帯電話機であり、場所を選ばず情報配信サーバ１００からのデータを受信することができるものである。この携帯型通信端末１２０は、情報配信サーバ１００から送信される更新ファイルを受信する受信部１２１と、受信した更新ファイルの情報をユーザに通知するための通知部１２３と、受信した更新ファイルを格納するデータ蓄積部１２４と、更新ファイルをＰＣ端末１３０に転送するデータ転送部１２５と、これらの要素を制御する受信情報処理部１２２とを備える。受信部１２１は、インターネット１１０に接続された携帯電話会社の無線基地局（図示せず）と無線通信を行い、データの送受信を行う。通知部１２３は、例えば新たな更新ファイルを受信したことをユーザに示す表示画面および音声出力手段を備える。これらの手段または機能は従来の携帯電話機に採用されている表示画面やスピーカを利用することができる。
【００２６】
データ蓄積部１２４は携帯型通信端末１２０の内部記憶手段であり、受信する更新ファイルを格納するのに十分な容量を有するものとする。データ転送部１２５は実施例によって異なるが、後述するようにＰＣ端末１３０とケーブルで直接接続する場合は出力端子として構成され、ＰＣ端末１３０と赤外線通信やＢｌｏｏｔｏｏｔｈ（登録商標）などの近距離無線通信を行う場合は赤外線ポート等として構成され、メモリカード等を利用する場合は当該メモリカードのドライブとして構成される。受信情報処理部１２２は携帯型通信端末１２０に搭載されるプログラムであり、携帯型通信端末１２０のメモリからＣＰＵに読み込まれ実行されることにより実現される。このプログラムは携帯型通信端末１２０のオペレーティングシステムの一部モジュールとして構成してもよい。また、後述するように携帯型通信端末１２０のオペレーティングシステムは、更新ファイルを転送するＰＣ端末１３０のオペレーティングシステムとは異なるものとして、携帯型通信端末１２０からＰＣ端末１３０へのウイルス感染を防止するようにする。
【００２７】
インターネットに接続されないＰＣ端末１３０は、当該ＰＣ端末１３０のメモリからＣＰＵに展開されるアプリケーション１３１と、このアプリケーション１３１が利用するデータが格納される記憶手段１３２と、この記憶手段１３２のデータ更新を制御するデータ更新処理部１３３と、携帯型通信端末１２０から更新ファイルを受信する転送受信部１３４とを備えている。本実施例におけるアプリケーション１３１はコンピュータのセキュリティ対策ソフトであり、記憶手段１３２に登録されるウイルスパターンファイルを参照してＰＣ端末１３０のウイルスチェックや外部からの不正アクセスの検出および防御を実行する。データ更新処理部１３３はＰＣ端末１３０に搭載されるプログラムであり、ＰＣ端末１３０のメモリからＣＰＵに読み込まれ実行されることにより実現される。データ更新処理部１３３は、携帯型通信端末１２０から更新ファイルを受領し、記憶手段１３２のデータを更新する。転送受信部１３４は、上述した携帯型通信端末１２０のデータ転送部１２５に対応するデータ送受信手段であり、すなわちケーブル端子や赤外線ポートやメモリカードドライブとして構成される。なお、上述のようにＰＣ端末１３０のオペレーティングシステムは携帯型通信端末１２０とは異なるものである。
【００２８】
このように構成されたデータ配信システムの第１実施例の動作を、図２のフローチャートを参照しながら説明する。以下の説明では情報配信サーバ１００，携帯型通信端末１２０，ＰＣ端末１３０の動作として描写するが、実際にこれらの動作を担当するのは情報配信サーバ１００のデータ送信部１０２，携帯型通信端末１２０の受信情報処理部１２２，ＰＣ端末１３０のデータ更新処理部１３３である。
【００２９】
新規なコンピュータウイルスが発見されると、オペレータにより当該ウイルスのパターンを追加した更新用データが情報配信サーバ１００に登録される。ウイルスパターンファイルはウイルス固有のバイトパターンを含むファイルであり、アプリケーション１３１（ウイルス対策ソフト）はこのパターンファイルを参考にウイルスのパターンを認識して検索エンジンがウイルスを検知する。新規なウイルスは毎月数百種類出現しているといわれており、新しい複雑なウイルスの検索に対してはウイルス対策ソフトの検索エンジンを更新（バージョンアップ）することが必要となるが、その他の場合はウイルスパターンファイルを更新することで新しく出現したウイルスの検出が可能である。この情報配信サーバ１００は、セキュリティ対策ソフトを開発・販売している会社などがインターネットを経由して、ソフトを購入したユーザに随時最新のウイルス情報を含んだパターンファイルを配信するために運営しているウェブサーバである。
【００３０】
本実施例のデータ送信部１０２は、マスタデータ格納部１０１から更新ファイルを抽出し、電子メールに添付してユーザデータ格納部１０３に登録されているメールアドレス宛に送信する（ステップ２０１）。このメール配信は、データ送信部１０２がマスタデータ格納部１０１に新たな更新用データが登録されたことを検出して自動的に行ってもよいし、オペレータの入力操作をトリガとして実行されるよう構成されていてもよい。また、電子メールの配信は、ユーザデータ格納部１０３に登録された複数のメールアドレス宛に一斉に送られてもよいし、個別にあるいは所定数のメールをまとめて送ることを繰り返してもよい。
【００３１】
この更新ファイルはインターネット１１０を介して携帯型通信端末１２０に配信される。携帯型通信端末１２０は受信部１２１で交信用ファイルを受信し、受信情報処理部１２２が通知部１２３を制御してユーザに通知するとともに（ステップ２１１）、受信した更新ファイルをデータ蓄積部１２４に登録し（ステップ２１２）、その後ＰＣ端末１３０への転送準備を実施する。ここで、受信情報処理部１２２は携帯型通信端末１２０の電源オン時には常時起動しており、受信される電子メールの内容をその都度確認し、更新ファイルの送信を示す予め定められた文字列（識別コード）がある場合あるいは添付ファイルがその識別子等から更新ファイルと確認された場合に一連の処理を開始するよう構成することができる。この処理により携帯型通信端末１２０の表示画面に新規な更新ファイルを受信したことが表示され、ユーザに受け取った更新ファイルをＰＣ端末１３０に転送することが促される。なお、更新ファイルを受信した際は画面表示とともにビープ音等を発してユーザの注意をひくようにしてもよい。
【００３２】
メッセージを見たユーザは、携帯型通信端末１２０からＰＣ端末１３０への転送準備を整え、携帯型通信端末１２０を操作してデータ転送を実行する（ステップＳ２１２）。具体的には、ＰＣ端末１３０とケーブルで接続する実施例の場合ユーザは携帯型通信端末１２０とＰＣ端末１３０とをケーブルで接続し、携帯型通信端末１２０に画面表示された「転送開始」ボタンをクリックする等してデータ転送を開始させる。また、ＰＣ端末１３０と赤外線通信やＢｌｕｅｔｈｏｏｔｈ（登録商標）などの近距離無線通信を行う実施例ではＰＣ端末１３０と通信可能な位置に携帯型通信端末１２０を適切に配置し、データ転送を開始させる。また、メモリカードなどの記憶媒体を介してデータ転送を行う場合には、携帯型通信端末１２０に十分な空き容量のメモリカードを装填し、画面表示されたボタンをクリックすると更新ファイルがメモリカードにコピーされるよう構成する。ここで、携帯型通信端末１２０とＰＣ端末１３０のオペレーティングシステムが異なることから、このデータ転送によってウイルスが感染する可能性は最低限に抑えられる。
【００３３】
インターネットに接続されないＰＣ端末１３０は、転送受信部１３４にて更新ファイルを受信し、データ更新処理部１３３が、アプリケーション１３１が検索する記憶手段１３２のデータファイルを更新する（ステップ２２１）。ここで、データ更新は、最新のウイルスパターンファイルが過去のウイルスパターンデータをすべて含むような場合はデータファイルをそのまま上書き処理する構成をとってもよく、最新のウイルスパターンデータのみを持つような場合はパターンファイルに最新分のデータを追加するような構成であってもよい。従来、多くのウイルスチェックソフトは前者の形態をとっているが、追加／変更部分のみを含む更新ファイルの方が転送データ量が少なくできる場合が多く、特に携帯型通信端末１２０に携帯電話機を使用する場合等に好適である。
【００３４】
具体的な更新処理について、図３を参照して説明する。本図は更新ファイルの構成イメージを示す図である。本図に示すように、レコードごとに処理内容６１，処理インデックス６２，更新内容６３の項目が設けられている。処理内容６１にはこのレコードの処理方法が記録され、この内容として”ａｄｄ”は「追加」、”ｃｈｇ”は「更新」、”ｄｅｌ”は削除等がある。処理インデックス６２には処理対象となるデータ内の検索キーが記録されており、更新内容６３には新しく追加・更新されるパターンファイルの内容が記録されている。データ更新処理部１３３はこの更新ファイルをレコードごとに読み込み、記憶手段１３２に格納されたデータに対し追加・更新・削除処理を実行する。なお、この処理手順の説明では他の実施例にも適用できるように追加・更新・削除の処理を可能としているが、ウイルスパターンファイルの更新の場合は「削除」ということは考えにくく、追加と更新のみの処理機能を備えるように構成してもよい。
【００３５】
ファイル更新のタイミングは、携帯型通信端末１２０からの転送要求を受けた時点でデータ更新処理部１３３が自動的に受信処理を行い、受信が完了したらデータ更新を行うようにしてもよいし、転送要求を受けた時点でＰＣ端末１３０にその旨を画面表示して、ユーザに更新用データの受信および実際の更新処理の確認をとるようにしてもよい。
【００３６】
このように、本実施例によれば、情報配信サーバ１００にある最新の更新ファイルを携帯型通信端末１２０で入手し、その入手をユーザに通知し、ここからインターネットに接続されないＰＣ端末１３０に転送する構成であるため、インターネットなど広域ネットワークに接続できないＰＣ端末１３０のウイルスパターンファイルの更新を容易に行うことができる。また、情報配信サーバ１００に新規な更新ファイルが登録された時点で当該ファイルが電子メールで配信されるため、インターネットに接続されないＰＣ端末１３０の利用者が最新パターンの存在を検知することができ、ウイルスパターンファイルの更新をタイムリーに行うことができる。また、ＰＣ端末１３０においてウイルスパターンの更新をインターネット等に接続することなく実行することが可能であるため、インターネットに接続してファイル更新を行う場合に比してウイルス感染や情報漏洩等のセキュリティ上のリスクが低減する。また、最新の更新ファイルの入手は携帯電話など、更新対象となるＰＣ端末１３０とはオペレーティングシステムが異なる端末を介して実現するよう構成しており、コンピュータウイルスの殆どが携帯電話機のオペレーティングシステムには感染しないものであるため、ファイル転送を行う場合のウイルス感染のリスクを大幅に低減することができる。さらに、例えばＰＣ端末１３０が社員が出張に携帯するようなノート型パソコンである場合、移動中に携帯電話機で更新用データを受信しておき、目的に着いてからＰＣ端末１３０に最新の更新ファイルを転送するといったことが可能となり、更新ファイルを効率的に入手することができる。
【実施例２】
【００３７】
次に、第２の実施例について説明する。図４は、本発明にかかるデータ配信システムの第２実施例の動作を説明する図である。本実施例の構成は図１に示すシステムとほぼ同様であるが、情報配信サーバ１００と携帯型通信端末１２０間で行われるファイル配信手順が異なっており、情報配信サーバ１００のデータ送信部１０２の処理と、携帯型通信端末１２０の受信情報処理部１２２の処理が異なる。
【００３８】
新たなウイルスが発見されると、情報配信サーバ１００のオペレータが新規なウイルスパターンを含む更新ファイルをマスタデータ格納部１０１に登録するが、この時点では携帯型通信端末１２０に配信しない（ステップ５０１）。一方、携帯型通信端末１２０の受信情報処理部１２２は定期的に情報配信サーバ１００に接続し、新たな更新ファイルが存在するかを問い合わせる（ステップ５１１）。この問い合わせでは、前回転送された更新ファイルのバージョン情報を携帯型通信端末１２０がデータ蓄積部１２４に登録しておき、このバージョン情報を情報配信サーバ１００への通知に含めるようにする。情報配信サーバ１００のデータ送信部１０２は、受信したバージョン情報とマスタデータ格納部１０１に登録されている最新の更新用データのバージョン情報とを比較して、両者が異なるものであれば新たなファイルが存在する旨を返信する（ステップ５０２）。なお、別の実施例では、携帯型通信端末１２０から情報配信サーバ１００に現在登録されている最新の更新用データのバージョンを問い合わせ、返信情報に基づき携帯型通信端末１２０が自端末内に保存されている前回更新ファイルのバージョンと比較することにより更新の必要性を判断するようにしてもよい。
【００３９】
ここで、新規な更新ファイルが存在する場合、携帯型通信端末１２０は情報配信サーバ１００にダウンロード要求を行い（ステップ５１２）、これに応じて情報配信サーバ１００がマスタデータ格納部１０１から最新の更新ファイルを抽出して携帯型通信端末１２０に送信する（ステップ５０３）。以降の処理は図２に示す第１実施例と同様であり、図２と同じステップ番号を付してその説明は省略する。
【実施例３】
【００４０】
次に、本発明の第３の実施例について、図５および図６を用いて説明する。本実施例では、インターネットに接続されないＰＣ端末３３０のアプリケーション３３１が辞書検索ソフトであるものとして説明する。辞書ソフトの場合、新しい流行語などが生まれた場合に新しい言葉とその意味を追加したり、既存の言葉に新しい意味合いが発生した場合に既存の言葉の意味合いを更新したり、一時的な流行語で使用されなくなった言葉を削除するなど辞書データの更新が有効であり、この更新版辞書データは版数管理されている。図５のシステムを参照すると、図１のシステムに加え携帯型通信端末３３０の受信情報処理部３２２がさらに蓄積データ管理部３２４を備えている。この蓄積データ管理部３２４は携帯型通信端末３２０のプログラムモジュールとして構成され、この端末３２０が受信した更新ファイルの情報を管理する。
【００４１】
図６のフローチャートに示されるように、情報配信サーバ３００のデータ送信部３０２がアプリケーションの検索対象となる最新の更新ファイルをマスタデータ格納部３０１から抽出し、携帯型通信端末３２０に送信する（ステップ４０１）。この配信処理は上述した第１および第２の実施例のいずれかの手順で行われるものとする。携帯型通信端末３２０は情報配信サーバ３００からの更新ファイルを受信部３２１で受信し、受信情報処理部３２２は更新ファイルの情報を通知部３２３を用いて利用者に通知するとともに、データ蓄積部３２５に受信した更新ファイルを登録する（ステップ４１１）。このとき、蓄積データ管理部３２４は、図７に示す管理テーブルに更新ファイルの情報を登録する（ステップ４１２）。
【００４２】
この確認テーブルはデータ蓄積部３２５に保存管理されており、新たな更新ファイルを受信した場合や、各ファイルがＰＣ端末３３０に転送された場合に更新されるものである。図７に示すように、確認テーブルでは更新ファイルごとにレコードが作成されており、各レコードはファイル名５２，バージョン情報５３，更新端末識別情報５４，更新フラッグ５５の項目を少なくとも有している。ファイル名５２およびバージョン情報５３には更新ファイルのファイル名とそのバージョン情報が登録され、更新端末識別情報５４にはこの携帯型通信端末３２０が辞書検索ソフトの最新辞書データの更新を行うＰＣ端末３３０の識別情報が登録され、更新フラッグ５５には辞書データの更新が行われたか否かを示すフラッグが登録される。
【００４３】
図７に示す実施例では、ＲＥＣ０１のレコードでは２００４年１１月１０に第６版（バージョン０６０）で「ｊｄａｔａ６０」というファイル名の辞書データがデータ蓄積部３２５に登録されているが、「ａｂｃｄ００１」という識別子を持つＰＣ端末（ＰＣ端末３３０）への更新フラッグが「０」であるため、データの転送はまだ行われていない状態である。これに対し、ＲＥＣ０２のレコードでは、同じように第５版の辞書データは識別子が「ａｂｃｄ００１」のＰＣ端末３３０への更新フラッグが「１」であり、辞書データの更新が行われていることが分かる。これに今回入手した更新用データの情報がＲＥＣ００３（第７版データ）として追加される。
【００４４】
次に、蓄積データ管理部３２４は、過去にデータ蓄積部３２５に蓄積されたデータを含め、辞書検索ソフトの更新ファイルの情報を確認し、今回追加・更新する必要のある更新ファイルを判定する（ステップ４１２）。この処理は、データ蓄積部３２５に蓄積されたデータを参照して更新フラッグが「０」（未更新）である更新用データを特定し、ここで特定された更新用データをデータ蓄積部３２５から抽出してＰＣ端末３３０に転送する。図７の実施例では、ＲＥＣ０３（第７版の辞書データ）とＲＥＣ０２（第６版の辞書データ）を抽出し、識別子ａｂｃｄ００１のＰＣ端末３３０に転送する。この転送および以降の処理は上述した第１および第２の実施例と同様であるため、以降の説明は省略する。
【００４５】
本実施例によれば、例えば上述したようにＰＣ端末３３０が出張に携帯されるノート型パソコンであって、比較的短期間で２以上の更新ファイルがリリースされたような場合に、１つ目のファイルによる更新を実施していない状態でも２つ目以降のファイルを受信して蓄積しておき、対応する時間ができたときに未更新のファイルを抽出してＰＣ端末に転送し、辞書データを更新させることができる。この実施例は比較的間隔を空けずに更新ファイルがリリースされるようなアプリケーション、例えば毎日あるいは毎週新たなカリキュラムが送信される教育ソフトの教材データ等の場合に特に有効となる。
【００４６】
本発明のいくつかの実施例を詳細に説明したが、本発明は上記実施例に限定されるものではなく、他の様々な実施例を考えることができる。特に、ＰＣ端末におけるアプリケーションとその参照ファイル（更新対象となるデータファイル）は、例えば、辞書検索ソフトにおける辞書データファイル、法律・判例検索ソフトにおける法律・判例データ、地図検索ソフトにおける地図データ、各種教育ソフトにおける毎回内容が異なる教育コンテンツデータ等のように、検索や境域受講などの機能をもったアプリケーションに用いられ、必要に応じて内容が追加・更新される検索対象データまたはコンテンツデータであれば、様々な例に適用することができる。また、情報配信サーバと携帯型通信端末のデータ転送手順も上記実施例に限るものではない。例えば、新たな更新ファイルが情報配信サーバに登録されたらファイルを添付せずに各利用者の携帯型通信端末にその旨の電子メールを配信し、これを受けた携帯型通信端末側から情報配信サーバにアクセスして更新ファイルをダウンロードする構成としてもよい。
【産業上の利用可能性】
【００４７】
本発明は、セキュリティ上の問題でインターネット等の広域ネットワークへの接続が制限され、ローカル若しくは企業内などアクセスが管理されたネットワークに接続されるＰＣ端末で、インターネットから入手する必要がある更新ファイルを安全且つ適時に入手できるようにするものであり、情報通信産業その他コンピュータを用いる産業で利用することができる。
【図面の簡単な説明】
【００４８】
【図１】本発明にかかるデータ配信システムの第１実施例の構成を示す図である。
【図２】図１に示す第１実施例の動作を説明する図である。
【図３】転送される更新ファイルの構成を示すイメージ図である。
【図４】データ配信システムの第２実施例の動作を説明する図である。
【図５】データ配信システムの第３実施例の構成を示す図である。
【図６】図５に示す第３実施例の動作を説明する図である。
【図７】図５に示す蓄積データ管理部が管理する管理テーブルの構成を示すイメージ図である。
【符号の説明】
【００４９】
１００    情報配信サーバ
１０１    マスタデータ格納部
１０２    データ送信部
１０３    ユーザデータ格納部
１１０    インターネット
１２０    携帯型通信端末
１２１    受信部
１２２    受信情報処理部
１２３    通知部
１２４    データ蓄積部
１２５    データ転送部
１３０    ＰＣ端末
１３１    アプリケーション
１３２    記憶手段
１３３    データ更新処理部
１３４    転送受信部
【手続補正３】
【補正対象書類名】図面
【補正対象項目名】図１
【補正方法】変更
【補正の内容】
【図１】
2007006081.tif 000010
【手続補正４】
【補正対象書類名】図面
【補正対象項目名】図２
【補正方法】変更
【補正の内容】
【図２】
2007006081.tif 000011
【手続補正５】
【補正対象書類名】図面
【補正対象項目名】図４
【補正方法】変更
【補正の内容】
【図４】
2007006081.tif 000012
【手続補正６】
【補正対象書類名】図面
【補正対象項目名】図５
【補正方法】変更
【補正の内容】
【図５】
2007006081.tif 000013
【手続補正７】
【補正対象書類名】図面
【補正対象項目名】図６
【補正方法】変更
【補正の内容】
【図６】
2007006081.tif 000014